(57)【要約】 【課題】  端子金具を奥壁の表面側から圧入するタイプと、同裏面側から圧入するタイプの両方に共用化できるハウジングを提供する。【解決手段】  ハウジング３０のフード部３１の奥壁３３には、タブ状端子１０とプレスフィット端子２０とを貫通する貫通部３４が設けられる。貫通部３４には圧入孔３５が貫通状に形成され、その表側と裏側の端部には、それぞれ幅広の突き当て凹部３６Ｆ，３６Ｒが段差状に形成される。タブ状端子１０は奥壁３３の表面側から挿通され、圧入部１４が圧入孔３５に圧入されたところで、ストッパ１７が表面側の突き当て凹部３６Ｆに嵌り、その奥の段付面３９に当たることで押し込みが停止される。一方、プレスフィット端子２０は奥壁３３の裏面側から挿通され、圧入部２４が圧入孔３５に圧入されたところで、ストッパ２７が裏面側の突き当て凹部３６Ｒに嵌って突き当たることで押し込みが停止される。【選択図】  図３
2006019228.tif 000002
【特許請求の範囲】
【請求項１】
コネクタハウジングには相手コネクタが嵌合される接続部が形成され、この接続部の奥壁に貫通して開口された圧入孔には端子金具が挿通されて、この端子金具に設けられた圧入部が圧入されるとともに、この圧入部の後方に張り出し形成されたストッパにより押し込みが規制された状態で保持され、前記端子金具の前記接続部内に突出した一端が前記相手コネクタに装着された相手端子と接続され、前記接続部とは反対側に突出した他端が回路基板の導電路と接続されるようにした基板用コネクタにおいて、
前記圧入孔の表裏両側の口縁には、前記端子金具のストッパを嵌めて突き当てる突き当て凹部が形成されていることを特徴とする基板用コネクタ。
【請求項２】
前記圧入孔の表裏両側の口縁には、前記端子金具における挿通方向の先端を当ててこの圧入孔に誘い込む誘い込み部が形成されていることを特徴とする請求項１記載の基板用コネクタ。
【発明の詳細な説明】
【技術分野】
【０００１】
本発明は、端子金具を圧入により装着する形式の基板用コネクタに関する。
【背景技術】
【０００２】
基板用コネクタの一般的な構造は、ハウジングには相手コネクタが嵌合されるフード部が設けられて、このフード部の奥壁にＬ形をなすタブ状の端子金具が複数本並んで貫通され、それぞれの一端がフード部内に突出して相手コネクタに装着された相手端子と接続されるとともに、奥壁の裏面側で下向きに突出した他端が、プリント回路基板の対応するスルーホールに挿入されて半田付けにより接続されるようになっている（例えば、特許文献１参照）。
【０００３】
ここで、端子金具をフード部の奥壁を貫通状態に保持する手段としては、端子金具に圧入部とその後方にストッパを設ける一方、奥壁に圧入孔とその表面側（フード部内に面した側）の口縁に突き当て凹部とを設け、端子金具が真直な状態でフード部内から圧入孔に挿通されて圧入部が圧入され、ストッパが突き当て凹部に突き当ってそれ以上の押し込みが規制されるようになっている。なお、端子金具の奥壁の裏側に突出した部分が、その後に直角曲げされる。
【０００４】
一方近年、端子金具としてプレスフィット端子を用いたものも普及しつつある（例えば、特許文献２参照）。このプレスフィット端子は、プリント回路基板との接続端側に、目玉状をなす弾性膨出部が形成されたものであって、弾性膨出部が、プリント回路基板のスルーホールに弾縮しつつ挿入されて接続されるようになっている。
【特許文献１】特開２０００−８２５１５公報
【特許文献２】国際公開パンフレット  ＷＯ  ９５／１４３１５
【発明の開示】
【発明が解決しようとする課題】
【０００５】
ところでプレスフィット端子では、奥壁に圧入する場合に、フード部側から挿通しようとすると、圧入孔に対しては先に弾性膨出部が通ったのち圧入部が圧入されるのであるから、圧入部すなわち圧入孔を幅広にする必要があり、突き当て凹部も含めると相当に幅広となって、ピッチが大きくなってしまう。そのため、プレスフィット端子については、奥壁の裏面側から挿通する構造を採る必要があるが、突き当て凹部の形成位置が変わる等、別構造のハウジングを新たに準備せねばならないという問題があった。  
本発明は上記のような事情に基づいて完成されたものであって、その目的は、端子金具を奥壁の表面側から圧入するタイプと、同裏面側から圧入するタイプの両方に共用化できるハウジングを提供するところにある。
【課題を解決するための手段】
【０００６】
上記の目的を達成するための手段として、請求項１の発明は、コネクタハウジングには相手コネクタが嵌合される接続部が形成され、この接続部の奥壁に貫通して開口された圧入孔には端子金具が挿通されて、この端子金具に設けられた圧入部が圧入されるとともに、この圧入部の後方に張り出し形成されたストッパにより押し込みが規制された状態で保持され、前記端子金具の前記接続部内に突出した一端が前記相手コネクタに装着された相手端子と接続され、前記接続部とは反対側に突出した他端が回路基板の導電路と接続されるようにした基板用コネクタにおいて、前記圧入孔の表裏両側の口縁には、前記端子金具のストッパを嵌めて突き当てる突き当て凹部が形成されている構成としたところに特徴を有する。  
請求項２の発明は、請求項１に記載のものにおいて、前記圧入孔の表裏両側の口縁には、前記端子金具における挿通方向の先端を当ててこの圧入孔に誘い込む誘い込み部が形成されているところに特徴を有する。
【発明の効果】
【０００７】
＜請求項１の発明＞
奥壁の表面側から挿通される端子金具では、圧入部が圧入孔に圧入されたのち、ストッパが表面側の突き当て凹部に嵌って突き当たることで押し込みが規制される。一方、奥壁の裏面側から挿通される端子金具では、圧入部が圧入孔に圧入されたのち、ストッパが裏面側の突き当て凹部に嵌って突き当たることで押し込みが規制される。奥壁の表面側から圧入するタイプの端子金具と、同裏面側から圧入するタイプの端子金具の両方を共通のハウジングに装着することができ、もってコスト低減を図ることができる。  
＜請求項２の発明＞
奥壁の表面側から挿通される端子金具と、同裏面側から挿通される端子金具のいずれも、誘い込み部で誘い込まれてスムーズに圧入孔に挿通される。
【発明を実施するための最良の形態】
【０００８】
＜実施形態＞
本発明の一実施形態を図１ないし図１２に基づいて説明する。  
本実施形態の基板用コネクタは、共通のコネクタハウジング３０（以下、ハウジング３０という）に対して、通常のタブ状端子１０と、プレスフィット端子２０とが選択的に圧入によって装着され、プリント回路基板４０（以下、回路基板４０という）に搭載されるようになっている。
【０００９】
タブ状端子１０は、導電性に優れた金属板をプレス加工することによって、図３及び図４に示すような形状に形成されている。タブ状端子１０は全体としては細長い角棒状に形成されており、一端側は相手端子と接続される端子接続部１１、他端側は回路基板４０のスルーホール４１に挿入される基板接続部１２となっており、ともに先端はガイド用に先細りとされている。タブ状端子１０は、長短２種類（１０Ｌ，１０Ｓ）が備えられている。
【００１０】
タブ状端子１０は、基板接続部１２を、ハウジング３０における詳しくは後記するフード部３１の奥壁３３の表面側から挿通するタイプである。各タブ状端子１０Ｌ，１０Ｓにおける端子接続部１１側から挿通方向の一定寸法前方（図３の左側）の位置には、圧入部１４が幅方向の両側に張り出して形成されている。圧入部１４は言わば挿通方向の前方を向いて形成されており、前端側の左右両側縁は、前方に向けて次第に幅狭となるようにテーパ縁１５となっている。  
圧入部１４の挿通方向の後方にはストッパ１７が連設されている。ストッパ１７は圧入部１４よりもさらに幅広の段付き状に張り出し形成されている。
【００１１】
プレスフィット端子２０は、同じく導電性に優れた金属板をプレス加工することによって、図８に示すような形状に形成されている。プレスフィット端子２０も全体としては、タブ状端子１０と同じ径の細長い角棒状に形成されている。その一端側は、相手端子と接続される端子接続部２１となっており、先端はガイド用に先細りに形成されている。他端には、回路基板４０側と接続される基板接続部とも言うべき弾性膨出部２２が形成されている。この弾性膨出部２２は、間に空間を設けて目玉状をなすように幅方向の両側に膨出形成されたものであって、幅方向に弾性的に開閉可能となっている。詳細には弾性膨出部２２は、図１２に参照して示すように、回路基板４０のスルーホール４１Ａに弾縮されて挿入され、復元力で拡開してスルーホール４１Ａの内周面に形成されたコンタクトに弾接するようになっている。プレスフィット端子２０も同様に、長短２種類（２０Ｌ，２０Ｓ）が備えられている。
【００１２】
一方プレスフィット端子２０は、上記したタブ状端子１０とは逆に、端子接続部２１を、ハウジング３０におけるフード部３１の奥壁３３の裏面側から挿通するタイプである。そのため、端子接続部２１側から挿通方向の一定寸法後方（図８の左側）の位置に、圧入部２４が幅方向の両側に張り出して形成されている。この圧入部２４は、タブ状端子１０の圧入部１４と同じ形状であり、同様に挿通方向の前端側の左右両側縁が、前方に向けて次第に幅狭となるようにテーパ縁２５となっている。また、圧入部２４の挿通方向の後方にはストッパ２７が連設されており、タブ状端子１０のストッパ１７と同じ長さと幅とを持って、段付き状に張り出し形成されている。
【００１３】
ハウジング３０は合成樹脂製であって、図１ないし図４に示すように、一面に開口したやや扁平な角筒状をなすフード部３１が設けられている。このフード部３１内には、図示しない相手コネクタが嵌合可能となっている。また、フード部３１の奥側の下面側には、回路基板４０の表面に当てられる脚体３２が形成されている。  
フード部３１の奥壁３３には、上記したタブ状端子１０またはプレスフィット端子２０を貫通して保持する貫通部３４が、一定ピッチで８箇所ずつ上下２段にわたって形成されている。
【００１４】
各貫通部３４の構造を説明する。各貫通部３４には、タブ状端子１０とプレスフィット端子２０の圧入部１４，２４が圧入される圧入孔３５が貫通状に形成されている。圧入孔３５は、両端子１０，２０の圧入部１４，２４の厚さにほぼ等しい高さ寸法と、圧入部１４，２４の幅よりも狭い幅寸法を有している。  
図３に示すように、圧入孔３５の表側の端部と裏側の端部とには、それぞれタブ状端子１０とプレスフィット端子２０のストッパ１７，２７を突き当てて収める幅広の突き当て凹部３６Ｆ，３６Ｒが、段差状に形成されている。  
また、図４に示すように、表裏の突き当て凹部３６Ｆ，３６Ｒの上下の口縁には、外方に向けて次第に広がったテーパ状をなす誘い込み面３７Ｆ，３７Ｒが形成されている。
【００１５】
続いて、本実施形態の作用を説明する。  
タブ状端子１０を装着するには、図３及び図４に示すように、基板接続部１２をハウジング３０の奥壁３３の表面と対向した姿勢とし、長い方のタブ状端子１０Ｌは上段の貫通部３４に、短い方のタブ状端子１０Ｓは下段の貫通部３４にそれぞれ表面側から挿通する。タブ状端子１０Ｌ，１０Ｓは、基板接続部１２側から表面側の誘い込み面３７Ｆで芯出しされつつ圧入孔３５にスムーズに挿通される。
【００１６】
挿通の終盤になると、圧入部１４が圧入孔３５に臨んで、図５に示すように、圧入部１４がテーパ縁１５側から圧入孔３５の両側壁に食い込むようにして圧入される。それとともにストッパ１７が表面側の突き当て凹部３６Ｆに嵌り、その奥の段付面３９に当たることで押し込みが停止される。これにより、タブ状端子１０Ｌ，１０Ｓはハウジング３０の奥壁３３に圧入により保持された状態となり、図６に示すように、上下両段の端子接続部１１が、奥壁３３の表面側からフード部３１内に同じ寸法突出した状態とされる。  
一方タブ状端子１０Ｌ，１０Ｓにおける奥壁３３の裏面側に突出した部分の途中位置が、同図の鎖線位置から実線位置に向けて直角曲げされることでＬ形とされ、長い方のタブ状端子１０Ｌの基板接続部１２と、短い方のタブ状端子１０Ｓの基板接続部１２とが、前後２列に分かれて下向きの姿勢で整列される。
【００１７】
各タブ状端子１０Ｌ，１０Ｓの基板接続部１２は、図７に示すように、回路基板４０の対応するスルーホール４１に挿入され、下面側でフロー半田（半田部４２）を行うことにより、その内周面のコンタクトと電気的接続が取られる。  
そののち、脚体３２が回路基板４０にねじ止めされることで、ハウジング３０が回路基板４０に固定される。そして、ハウジング３０のフード部３１内に相手コネクタが嵌合されることで、タブ状端子１０Ｌ，１０Ｓの端子接続部１１と相手コネクタに装着された相手端子とが嵌合して接続される。
【００１８】
プレスフィット端子２０を装着する場合は、図８の実線に示すように真直姿勢にあるプレスフィット端子２０Ｌ，２０Ｓが、途中位置から直角曲げされ、同図の鎖線並びに図９に示すように、弾性膨出部２２が下を向いたＬ形に予め形成される。このようにＬ形に形成されたプレスフィット端子２０は、端子接続部２１がハウジング３０の奥壁３３の裏面と対向した姿勢とされ、長い方のプレスフィット端子２０Ｌは上段の貫通部３４に、短い方のプレスフィット状端子２０Ｓは下段の貫通部３４にそれぞれ裏面側から挿通される。プレスフィット端子２０Ｌ，２０Ｓは、端子接続部２１側から裏面側の誘い込み面３７Ｒで芯出しされつつ圧入孔３５にスムーズに挿通される。
【００１９】
挿通の終盤になると、圧入部２４が圧入孔３５に臨んで、図１０に示すように、圧入部２４がテーパ縁２５側から圧入孔３５の両側壁に食い込むようにして圧入される。それとともにストッパ１７が裏面側の突き当て凹部３６Ｒに嵌り、その奥の段付面３９に当たることで押し込みが停止される。これにより、プレスフィット端子２０Ｌ，２０Ｓはハウジング３０の奥壁３３に圧入により保持された状態となり、図１１に示すように、上下両段の端子接続部２１が、奥壁３３の表面側からフード部３１内に同じ寸法突出した状態とされる。それとともに、奥壁３３の裏面側では、長い方のプレスフィット端子２０Ｌの弾性膨出部２２と、短い方のプレスフィット端子２０Ｓの弾性膨出部２２とが、前後２列に分かれて下向きの姿勢で整列される。
【００２０】
そうしたら、図１２に示すように、各プレスフィット端子２０Ｌ，２０Ｓにおける弾性膨出部２２の上方に形成された治具受け部２８を治具で押さえ付けることで、各弾性膨出部２２が回路基板４０の対応するスルーホール４１Ａに挿入され、その内周面のコンタクトに弾接して電気的接続が取られる。  
そののち上記したと同様に、脚体３２が回路基板４０にねじ止めされることで、ハウジング３０が回路基板４０に固定される。そして、ハウジング３０のフード部３１内に相手コネクタが嵌合されることで、プレスフィット端子２０の端子接続部２１と相手コネクタに装着された相手端子とが嵌合して接続される。
【００２１】
以上説明したように本実施形態によれば、ハウジング３０の奥壁３３の表面側から圧入するタイプのタブ状端子１０と、同裏面側から圧入するタイプのプレスフィット端子２０の両方を共通のハウジング３０に装着することができる。そのため、ハウジング３０の成形金型費や管理費を削減でき、もって大幅なコスト低減を図ることができる。  
また、奥壁３３の表裏両側から挿通されるタブ状端子１０とプレスフィット端子２０のいずれも、誘い込み面３７Ｆ，３７Ｒで誘い込んでスムーズに圧入孔３５に挿通することができ、もって作業能率が向上される。
【００２２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）上記実施形態ではタブ状端子、プレスフィット端子ともにＬ形のものを例示したが、ストートタイプの端子金具を装着するものにも同様に適用することができる。  
（２）奥壁の裏側から挿通される形式の端子金具としては、上記実施形態に例示したタブ状端子以外に、基板接続部が回路基板上の導電路や接点に載せられて、リフロー半田によって接続される、いわゆる表面実装タイプの端子金具が挙げられる。
【図面の簡単な説明】
【００２３】
【図１】本発明の一実施形態に係るハウジングの正面図
【図２】同背面図
【図３】タブ状端子を挿通する前の平断面図
【図４】同側断面図
【図５】圧入完了時の平断面図
【図６】タブ状端子をＬ形に形成した状態の側断面図
【図７】ハウジングを回路基板に搭載した状態の一部切欠背面図
【図８】プレスフィット端子を挿通する前の平断面図
【図９】同側断面図
【図１０】圧入完了時の平断面図
【図１１】同側断面図
【図１２】ハウジングを回路基板に搭載した状態の一部切欠背面図
【符号の説明】
【００２４】
１０，１０Ｌ，１０Ｓ…タブ状端子
１１…端子接続部
１２…基板接続部
１４…圧入部
１７…ストッパ
２０，２０Ｌ，２０Ｓ…プレスフィット端子
２１…端子接続部
２２…弾性膨出部
２４…圧入部
２７…ストッパ
３０…コネクタハウジング
３１…フード部（接続部）
３３…奥壁
３４…貫通部
３５…圧入孔
３６Ｆ，３６Ｒ…突き当て凹部
３７Ｆ，３７Ｒ…誘い込み面（誘い込み部）
３９…段付面
４０…プリント回路基板
４１，４１Ａ…スルーホール
【図１】
2006019228.tif 000003
【図２】
2006019228.tif 000004
【図３】
2006019228.tif 000005
【図４】
2006019228.tif 000006
【図５】
2006019228.tif 000007
【図６】
2006019228.tif 000008
【図７】
2006019228.tif 000009
【図８】
2006019228.tif 000010
【図９】
2006019228.tif 000011
【図１０】
2006019228.tif 000012
【図１１】
2006019228.tif 000013
【図１２】
2006019228.tif 000014